(57)【要約】【課題】タイル取着面のデザインのバリエーションを増大させ得るタイルを提供する。【解決手段】タイルＴ１，Ｔ２は、正面視略長方形で長手方向の両端部の厚さが中間部１の厚さより薄く形成されており、その両端部に形成された差込み部２，２と、短手方向の両側面と裏面とに向けて開口する嵌込み開口部３，３と、を備えている。そして、壁面ｗ等の被取着面に取着した状態で、差込み部２が、上記の構造で９０度向きを違えた他のタイルＴ２の嵌込み開口部３に嵌まり、一方、嵌込み開口部３に、上記の構造で９０度向きを違えたさらに他のタイルＴ２の差込み部２が嵌まるようになっている。このタイルＴ１，Ｔ２を絡み合わせれば、例えば細幅の帯材を縦方向と横方向に交差させて編み上げたような風合いにすることができ、被取着面に立体感を付与することができる。【選択図】        図６
2015224424.tif 000002
【特許請求の範囲】
【請求項１】
壁面等の被取着面の表面に取着されるタイルであって、
正面視略長方形で長手方向の両端部の厚さより中間部の厚さが厚く形成されており、
前記両端部に形成された差込み部と、
短手方向の両側面と裏面とに向けて開口する嵌込み開口部と、を備えており、
前記被取着面に取着した状態で、前記差込み部が、上記の構造で９０度向きを違えた他のタイルの嵌込み開口部に嵌まり、一方、前記嵌込み開口部に、上記の構造で９０度向きを違えたさらに他のタイルの差込み部が嵌まるようになっていることを特徴とするタイル。
【請求項２】
前記差込み部に釘などの固定部材を通すための貫通孔を設けてなることを特徴とする請求項１記載のタイル。
【請求項３】
前記嵌込み開口部の奥端に前記他のタイルの差込み部の過差込みを防止するストッパを設けてなることを特徴とする請求項１又は２に記載のタイル。
【請求項４】
同形状に形成した請求項１〜３の何れか１項に記載のタイル同士を長手方向に連ねて縦列を形成すると共にその縦列を横方向に且つ隣合う縦列同士のタイルの配列が互い違いになるように配置した縦列グループと、
同形状に形成した請求項１〜３の何れか１項に記載のタイル同士を長手方向に連ねて横列を形成すると共にその横列を縦方向に且つ隣合う横列同士のタイルの配列が互い違いになるように配置した横列グループと、からなり、
前記縦列グループと前記横列グループが重合的に配列されて縦列グループの各タイルの前記差込み部が前記横列グループの各タイルの前記嵌込み開口部に嵌まり込み、一方、前記横列グループの各タイルの前記差込み部が前記縦列グループの各タイルの前記嵌込み開口部に嵌まり込むように組み合わさって被取着面の表面に取着されていることを特徴とする建造物。
【発明の詳細な説明】
【技術分野】
【０００１】
本発明は、壁面等の被取着面の表面に取着されるタイル及びそのタイルを被取着面に被着した建造物に関する。
【背景技術】
【０００２】
建物、橋脚、塔などの建造物の多くには、従来より装飾性や耐候性を高めるため、内壁面または外壁面にタイルが貼り付けられている。
一般的なタイルは、正面視略長方形又は略正方形の薄板であって、殆どの場合、碁盤の目のように配置する通し目地、一列ごとに互い違いに配置する馬踏み目地（例えば、特許文献１参照）又はたて張り千鳥目地、というような目地割りで取着されている。
【先行技術文献】
【特許文献】
【０００３】
【特許文献１】特開２００５−４８５０２号公報
【特許文献２】特開２０１２−１９９２号公報
【発明の概要】
【発明が解決しようとする課題】
【０００４】
現在では、建造物の内外壁にタイルを使用する割合が減少する傾向にある。その理由として、建造物の構造の変化（外壁構成材の多様化）も考えられるが、タイル取着面の仕上がりが平面的でデザインのバリエーションが少ないことにも一因があると考えられる。
【０００５】
本発明は、上記に鑑みなされたもので、その目的は、タイル取着面のデザインのバリエーションを増大させ得るタイル及びそのタイルを使用した建造物を提供することにある。
【課題を解決するための手段】
【０００６】
上記の目的を達成するため本発明は、請求項１に記載したように、
壁面等の被取着面の表面に取着されるタイルであって、
正面視略長方形で長手方向の両端部の厚さより中間部の厚さが厚く形成されており、
前記両端部に形成された差込み部と、
短手方向の両側面と裏面とに向けて開口する嵌込み開口部と、を備えており、
前記被取着面に取着した状態で、前記差込み部が、上記の構造で９０度向きを違えた他のタイルの嵌込み開口部に嵌まり、一方、前記嵌込み開口部に、上記の構造で９０度向きを違えたさらに他のタイルの差込み部が嵌まるようになっているタイルを提供する。
ここで、前記した「中間部の厚さ」とは、タイルの裏面から中間部の頂部までの高さをいう。
【０００７】
また、請求項２に記載したように、前記差込み部に釘などの固定部材を通すための貫通孔を設けてなる請求項１記載のタイルを提供する。
【０００８】
また、請求項３に記載したように、前記嵌込み開口部の奥端に前記他のタイルの差込み部の過差込みを防止するストッパを設けてなる請求項１又は２に記載のタイルを提供する。
【０００９】
また、請求項４に記載したように、
同形状に形成した請求項１〜３の何れか１項に記載のタイル同士を長手方向に連ねて縦列を形成すると共にその縦列を横方向に且つ隣合う縦列同士のタイルの配列が互い違いになるように配置した縦列グループと、
同形状に形成した請求項１〜３の何れか１項に記載のタイル同士を長手方向に連ねて横列を形成すると共にその横列を縦方向に且つ隣合う横列同士のタイルの配列が互い違いになるように配置した横列グループと、からなり、
前記縦列グループと前記横列グループが重合的に配列されて縦列グループの各タイルの前記差込み部が前記横列グループの各タイルの前記嵌込み開口部に嵌まり込み、一方、前記横列グループの各タイルの前記差込み部が前記縦列グループの各タイルの前記嵌込み開口部に嵌まり込むように組み合わさって被取着面の表面に取着されている建造物を提供する。
ここで「縦列同士のタイルの配列が互い違い」または「横列同士のタイルの配列が互い違い」とは、タイル同士の間隔の中心を通る列と直交する直線が、隣の列のタイルのほぼ中心を通る関係をいう。
【発明の効果】
【００１０】
請求項１に記載のタイルは、長手方向の両端部に形成した差込み部と、短手方向の両側面及び裏面に向けて開口する嵌込み開口部と、を有するため、自己のタイルの周囲に配置される他のタイルに対して、自己の差込み部と他のタイルの嵌込み開口部とを嵌め合わせ、また、自己の嵌込み開口部と他のタイルの差込み部とを嵌め合わせるように絡み合わせることができる。こうして絡み合わせたタイルは、例えば細幅の帯材を縦方向と横方向に交差させて編み上げたような風合いであり、被取着面に立体感を付与することができる。
【００１１】
また、請求項２に記載したように、前記タイルの差込み部に貫通孔を設けた場合には、その貫通孔に釘などの固定部材を通して被取着面に固定することができるため、剥離の危険性を格段に小さくすることができる。しかもその固定部材は、他のタイルの嵌込み開口部に入って隠れるため、編み上げたような風合いを損ねるおそれもない。
【００１２】
また、請求項３に記載したように、嵌込み開口部の奥端に他のタイルの差込み部の過差込みを防止するストッパを設ければ、組み合わせるタイル同士の位置決めが容易になるため、作業性を向上させることができる。
【００１３】
また、請求項４に記載した建造物は、被取着面が、細幅の帯材を縦方向と横方向に交互に通して編み上げたような立体感を呈するため、平面的なタイルのイメージを払拭した立体感に優れた建造物が提供できる。
【図面の簡単な説明】
【００１４】
【図１】（ａ）はタイルＴ１の正面図、（ｂ）はタイルＴ１の背面図である。
【図２】（ａ）はタイルＴ１の右側面図、（ｂ）は図１（ａ）のＡ−Ａ線断面図、（ｃ）は図１（ａ）のＢ−Ｂ線断面図である。
【図３】タイルＴ１の裏側から見た斜視図である。
【図４】（ａ）はタイルＴ２の正面図、（ｂ）はタイルＴ２の背面図、（ｃ）はタイルＴ２の右側面図、（ｄ）は（ａ）のＣ−Ｃ線断面図、（ｅ）は（ａ）のＤ−Ｄ線断面図である。
【図５】タイルＴ２の裏側から見た斜視図である。
【図６】一つのタイルＴ２の周囲に四つのタイルＴ１を配置した状態を示す斜視図である。
【図７】一つのタイルＴ２とその周囲の四つのタイルＴ１との関係を、タイルＴ２を分身状態に描いて示す斜視図である。
【図８】図６を裏側から見た斜視図である。
【図９】図７を裏側から見た斜視図である。
【図１０】タイルＴ１，Ｔ２を取着した被取着面の一部を示す正面図である。
【図１１】縦列グループの一部を示す正面図である。
【図１２】横列グループの一部を示す正面図である。
【図１３】タイルＴ１とタイルＴ２の施工方法を説明する斜視図である。
【図１４】（ａ）はタイルＴ３の正面図、（ｂ）はタイルＴ３の背面図、（ｃ）はタイルＴ３の右側面図、（ｄ）はタイルＴ３の平面図、（ｅ）はタイルＴ３の中央横断面図である。
【図１５】タイルＴ３を取着した被取着面の一部を示す正面図である。
【図１６】（ａ）はタイルＴ１０の正面図、（ｂ）はタイルＴ２０の正面図、（ｃ）はタイルＴ２０の背面図、（ｄ）はタイルＴ２０の右側面図である。
【図１７】タイルＴ１０，Ｔ２０を取着した被取着面の一部を示す正面図である。
【図１８】図１７のＥ−Ｅ線断面図である。
【図１９】タイルＴ１００の裏側から見た斜視図である。
【図２０】タイルＴ１００を被取着面に取着した状態を示す要部の縦断面図である。
【図２１】図２０のＦ−Ｆ線断面図である。
【発明を実施するための形態】
【００１５】
［実施形態１］
以下に、本発明の実施形態１を図面を参照しつつ説明する。
この実施形態１は、図１〜図３に示したタイルＴ１と、図４，図５に示したタイルＴ２を組み合わせて建造物の被取着面たる例えば建物の壁面ｗを構成するようにしたものである。
【００１６】
タイルＴ１，Ｔ２は、陶磁器質であって、図１（ａ）と図４（ａ）に示したように正面視略長方形で、側面形状がなだらかな曲線を描く山型になっていて、図２（ａ）、図４（ｃ）に示したように長手方向の両端部の厚さより中間部１の厚さが厚くなっている。このタイルＴ１，Ｔ２の両端部が差込み部２，２であり、その厚さは通常の壁面用タイルと同程度である。
一方、タイルＴ１，Ｔ２の短手方向の両側面には、側面と裏面に向けて開口する嵌込み開口部３，３が開設されており、また、左右の嵌込み開口部３，３の間には両者を仕切るリブ状のストッパ４が形成されている。
なお、タイルＴ１，Ｔ２は、乾燥工程または焼成工程での割れを防止するため、中間部１の裏側に前記嵌込み開口部３に融合する凹状部３０を設け、そうして肉厚がほぼ均等になるようにしてある。そのため、前記ストッパ４は、中間部１の変形を防止するための補強をも兼ねている。
【００１７】
タイルＴ１とタイルＴ２は、共に上記の構造を備えているが、タイルＴ１の方がタイルＴ２より大きくなっており、図６〜図９に示したように、大きいタイルＴ１の差込み部２，２が、９０度向きを違えた小さいタイルＴ２の嵌込み開口部３，３に嵌り得るようになっている。一方、大きいタイルＴ１の嵌込み開口部３，３に、９０度向きを違えた小さいタイルＴ２の差込み部２，２が嵌り得るようになっている。
【００１８】
図１０は、タイルＴ１，Ｔ１…とタイルＴ２，Ｔ２…を取着した壁面ｗの一部を示す正面図である。なお、ここでは、タイルＴ１とタイルＴ２の区別を容易にするため、タイルＴ１の表面に長手方向に向かう筋目模様が描かれているが、意匠的には、図１に示したように無地にするか、或は筋目以外の適宜な模様を施しても良い。また、タイルＴ２の表面も同様に、無地でも良いし、タイルＴ１のような筋目その他の模様があってもよい。また、建造物は、例えば門、塀を含む建物、橋脚、塔などであり、被取着面は、例えばそれらの内外壁面である。
【００１９】
図１０の壁面ｗでは、同形状の複数のタイルＴ１，Ｔ１…によって図１１に示した縦列グループｙが構成されている。
この縦列グループｙは、タイルＴ１，Ｔ１…同士を長手方向に連ねて一つの縦列を形成すると共にその縦列を横方向に且つ隣合う縦列同士のタイルＴ１，Ｔ１…の配列が互い違いになるように配置したものである。
【００２０】
一方、同じく図１０の壁面ｗでは、同形状の複数のタイルＴ２，Ｔ２…によって図１２に示した横列グループｘが構成されている。
この横列グループｘは、９０度向きを違えたタイルＴ２，Ｔ２…同士を長手方向に連ねて一つの横列を形成すると共にその横列を縦方向に且つ上下に隣合う横列同士のタイルＴ２，Ｔ２…の配列が互い違いになるように配置したものである。
【００２１】
前記縦列グループｙと前記横列グループｘは、壁面ｗ上で同じ場所に重合的に配置されているのであり、縦列グループｙの各タイルＴ１，Ｔ１…の差込み部２，２が図６〜図９に示したように横列グループｘの各タイルＴ２，Ｔ２…の嵌込み開口部３，３に上下双方から嵌まり込み、一方、前記横列グループｘの各タイルＴ２，Ｔ２…の差込み部２，２が縦列グループｙの各タイルＴ１，Ｔ１…の嵌込み開口部３，３に左右双方から嵌まり込む。
この状態では上下関係にあるタイルＴ１とタイルＴ１の継ぎ目の部分に横向きのタイルＴ２が被さり、また、左右関係にあるタイルＴ２とタイルＴ２の継ぎ目の部分にタイルＴ１が被さるため、タイル同士の継ぎ目部分が表面に露出しない。したがって、縦列グループｙと横列グループｘが絡み合って、例えば細幅の帯材を縦方向と横方向に交差させて編み上げたような立体的な外観を呈する。
【００２２】
なお、縦列グループｙと横列グループｘは、説明の便宜上、図１１と図１２に別々に図示したが、実際は、壁面ｗ上において、縦列グループｙのタイルＴ１，Ｔ１…と横列グループｘのタイルＴ２，Ｔ２…とは後述する施工の過程で相互に絡み合いながら完成するものであるため、分離観察できるものではない。
【００２３】
つぎに、建造物の壁面ｗへのタイルＴ１，Ｔ１…とタイルＴ２，Ｔ２…の施工方法の一例について説明する。
まず、図１３に示したように、壁面ｗ上にタイルＴ１，Ｔ１…で第一の縦列ｙ１と第二の縦列ｙ２を互い違いの並びにして形成する。その際、実施形態１のタイルＴ１には差込み部２に貫通孔５が設けられているため、その貫通孔５に釘や木ねじなどの固定部材（図示せず）を通して壁面ｗに取着する。
【００２４】
この状態で図１３に示したように、第二の縦列ｙ２のタイルＴ１，Ｔ１の差込み部２，２同士の継ぎ目の横に、第一の縦列のタイルＴ１の嵌込み開口部３がトンネル状に開口した状態に臨むため、その開口に９０度向きを違えたタイルＴ２の差込み部２を図１３矢示のように差し込んでタイルＴ１の嵌込み開口部３内に収める。このときタイルＴ２の差込み部２は、タイルＴ１のストッパ４に当たってそこで止まるため、タイルＴ２の差し込みすぎが防止できる。なお、タイルＴ２の裏面のストッパ４は、第二の縦列ｙ２のタイルＴ１，Ｔ１同士の継ぎ目にできた隙間６に収まる。
【００２５】
つぎに、図１３では図示しないが、上記タイルＴ２，Ｔ２…の第二の縦列ｙ２の横にはみ出る差込み部２に第三の縦列を構成するタイルＴ１の嵌込み開口部３を嵌めてそのタイルＴ１を壁面ｗに固定部材で取り付ける。
かかる作業を繰り返えし行えば、タイルＴ１，Ｔ１…とタイルＴ２，Ｔ２…が細幅の帯材を縦方向と横方向に交差させて編み上げたような外観を呈するタイル貼りの壁面ｗができる。
【００２６】
なお、タイルＴ１は、固定部材で固定する場合のほか、既存の施工方法と同じく接着用のモルタル等で貼着してもよい。その場合でも上記と同じ方法で取着できるが、それ以外にも、予めタイルＴ１，Ｔ１…を工場等で一列に並べて継ぎ目の箇所にタイルＴ２，Ｔ２を仮止めし、そうして製造した縦列のユニットを順に壁面ｗに取着して施工することもできる。
もっとも固定部材で固定する方が、単なる貼着に比べて取着強度が大きいため、好ましくは固定部材で固定するのがよい。
また、タイルＴ２は、壁面ｗに対して接着用のモルタル等で貼着してもよいが、元々両横の差込み部２，２がタイルＴ１，Ｔ１の嵌込み開口部３，３に嵌っていて壁面ｗから外れないため、タイルＴ１の取着強度が十分であれば、あえて貼着しなくても剥離のおそれはない。もちろん被取着面が建造物の外側であって強風等でタイルＴ２ががたつくおそれがある場合には、タイルＴ２も積極的に貼着するのがよい。
【００２７】
［実施形態２］
実施形態１は、上記のように同形状の多数のタイルＴ１，Ｔ１…と、同形状の多数のタイルＴ２，Ｔ２…を縦横に、つまり大小二種のタイルを縦横に組み合わせるようにしたものであるが、実施形態２は、同形状の多数のタイルＴ３，Ｔ３…を縦横に、つまり一種のタイルを縦横に組み合わせるようにしたものである。そのためタイルＴ３は、自己の差込み部２が、自己の嵌込み開口部３に嵌り得る形状になっており、一種のタイルＴ３で前記縦列グループｙと横列グループｘが構成される。
このタイルＴ３，Ｔ３…の施工方法は、実施形態１と同じであるため説明を省略する。
【００２８】
なお、タイルＴ３の差込み部２には、図１４に示したように先端に先細の案内部２ａが設けられており、これにより嵌込み開口部３への差込み時にその嵌込み開口部３の縁に差込み部２が衝突して欠ける、というトラブルが生じ難い。したがって作業性が向上する。もちろん、かかる差込み部２の案内部２ａは、前記タイルＴ１またはＴ２に形成してもよい。
【００２９】
ところで差込み部２と嵌込み開口部３の位置関係により、図１５に示したように互いに絡み合う四個のタイルＴ３の中心に四角い空間７が生じる場合には、その空間７に目地材を充填するか或は四角いタイルチップ（図示せず）を嵌め込むようにすればよい。
【００３０】
[変形例１]
図１６〜図１８は、タイルＴ１とタイルＴ２の変形例１たるタイルＴ１０とタイルＴ２０を示すものである。
タイルＴ１０は、タイルＴ１を板状に形成すると共に前記嵌込み開口部３に相当する位置、つまり長辺の中央両縁に凹状の切欠部８，８を形成してなり、その切欠部８，８にタイルＴ２０の差込み部２を厚さ方向に嵌め込むようにしたものである。この場合もタイルＴ１０，Ｔ１０同士の継ぎ目をタイルＴ２０でカバーすることができる。
なお、このタイルＴ１０とタイルＴ２０の組合せを前記縦列グループｙの縁に応用するようにしてもよい。その場合、タイルＴ１０の切欠部８に前記ストッパ４を持たない形状に変更したタイルＴ２の差込み部２が嵌る。
【００３１】
[変形例２]
図１９〜図２１は、タイルＴ１の変形例たるタイルＴ１００を示すものである。
タイルＴ１００は、図２０、図２１に示したように被取着面たる壁面ｗに埋設したＬＥＤ等の照明装置９と組み合わせることにより、タイルＴ１の嵌込み開口部３に対応する開口部３００を光の透過窓として使用するものであり、図１９に示したように開口部３００を前記凹状部３０と同形状に拡大して光の透過量が最大になるようにしてある。
タイルＴ１００は、例えば図１７のように互い違いに配列したタイルＴ１０，Ｔ１０…の縦列の一列又は複数列を置き換えるようにしたり、或は通常の四角いタイルの一枚又は複数枚を置き換えるように設置し、その状態で照明装置９を点灯させて開口部３００から漏れ出す光で周囲を柔らかに照らすものである。
【００３２】
以上、本発明を実施形態１，２等について説明したが、もちろん本発明は上記実施形態等に限定されるものではない。例えば、実施形態では、材質に陶磁器質を例示したが、石、ガラス、木、金属、合成樹脂等であってタイルを構成し得る材質であればどのようなものでもよい。
また、実施形態１では大きいタイルＴ１で縦列グループｙを構成し、小さいタイルＴ２で横列グループｘを構成したが、縦列グループｙを小さいタイルＴ２で構成し、横列グループｘを大きいタイルＴ１で形成してもよい。その場合、被取着面は、図１０を９０度向きを違えた状態になる。
また、実施形態等では、タイルの取着対象として建造物を例示したが、例えば小物入れの表面をタイルＴ３で装飾する、というようにタイルが貼着可能であれば取着対象は建造物に限定されない。
【符号の説明】
【００３３】
Ｔ１，Ｔ２  …実施形態１のタイル
Ｔ３  …実施形態２のタイル
Ｔ１０，Ｔ２０  …変形例１のタイル
Ｔ１００  …変形例２のタイル
ｙ  …縦列グループ
ｙ１  …縦列
ｙ２  …縦列
ｘ  …横列グループ
ｗ  …壁面（被取着面）
１  …中間部
２  …差込み部
３  …嵌込み開口部
４  …ストッパ
５  …貫通孔
【図１】
2015224424.tif 000003
【図２】
2015224424.tif 000004
【図３】
2015224424.tif 000005
【図４】
2015224424.tif 000006
【図５】
2015224424.tif 000007
【図６】
2015224424.tif 000008
【図７】
2015224424.tif 000009
【図８】
2015224424.tif 000010
【図９】
2015224424.tif 000011
【図１０】
2015224424.tif 000012
【図１１】
2015224424.tif 000013
【図１２】
2015224424.tif 000014
【図１３】
2015224424.tif 000015
【図１４】
2015224424.tif 000016
【図１５】
2015224424.tif 000017
【図１６】
2015224424.tif 000018
【図１７】
2015224424.tif 000019
【図１８】
2015224424.tif 000020
【図１９】
2015224424.tif 000021
【図２０】
2015224424.tif 000022
【図２１】
2015224424.tif 000023